(57)【要約】【課題】本発明は、背中など自分の手の届かない部位を確認した上で、所望の位置に膏薬や湿布薬などの貼り薬が容易に貼れるように提案することを課題とする。【解決手段】上記問題を解決するために、本発明に係る湿布貼付器具１００は、使用者に担がれて使用されるもので、パイプ等をアーチ状に折り曲げて形成した第一及び第二のアーム部材１１０、１２０が並列に配置され、支軸部１３０は二つのアーム部材の中間部を回動自在に枢着する。第一のアーム部材１１０の他端の湿布貼着位置確認部１１２が使用者に当接されると、使用者は第二のアーム部材１２０を回動させることにより、湿布貼着位置確認部１１２と湿布仮留部１２３と湿布押圧部１２２とがこの順序で長さ方向に並列した状態となる。この状態で、第二の把手１２１の操作により、湿布押圧部１２２は、湿布仮留部１２３に仮留めされた湿布を使用者に押し当てて所望の位置に貼付けることができる。【選択図】図１
2016209219.tif 000002
【特許請求の範囲】
【請求項１】
棒体又はパイプをアーチ状に折り曲げることで形成された第一のアーム部材と、
棒体又はパイプをアーチ状に折り曲げることで形成されて、前記第一のアーム部材の側方に配置される第二のアーム部材と、
前記第一のアーム部材の中間部と前記第二のアーム部材の中間部とを回動自在に枢着する支軸部とを備え、
前記第一のアーム部材や前記第二のアーム部材は、一方側範囲が使用者の正面側に位置し、他方側範囲が使用者の背面側に位置するよう、使用者に担がれるものであり、
前記第一のアーム部材の一方側範囲には、第一の把手が設けられ、
前記第二のアーム部材の一方側範囲には、第二の把手が設けられ、
前記第一のアーム部材の他方側範囲には、使用者に当接することで、使用者に湿布の貼付位置を確認させる湿布貼着位置確認部が設けられ、
前記第二のアーム部材の他方側範囲には、前記湿布を仮留めする湿布仮留部と、当該湿布仮留部に仮留めされた前記湿布を使用者に押圧して貼付けるための湿布押圧部とが設けられ、
前記湿布貼着位置確認部が使用者に当接した状態で、使用者が前記第二のアーム部材を回動させて前記湿布押圧部を使用者に当接させることで、前記湿布貼着位置確認部と、前記湿布仮留部と、前記湿布押圧部とが、この順序で、前記第二のアーム部材の長さ方向に並列した状態になり、この状態で、使用者が前記第二の把手を前記第二のアーム部材の長さ方向に動かすことで、前記湿布押圧部は、前記湿布仮留部に仮留めされた前記湿布を、前記湿布貼着位置確認部が使用者に当接する位置に向けて押しやって、使用者に貼付ける湿布貼付器具。
【請求項２】
棒体又はパイプをアーチ状に折り曲げることで形成された第一のアーム部材と、
棒体又はパイプをアーチ状に折り曲げることで形成されて、前記第一のアーム部材の側方に配置される第二のアーム部材と、
前記第一のアーム部材の中間部と前記第二のアーム部材の中間部とを回動自在に枢着する支軸部とを備え、
前記第一のアーム部材や前記第二のアーム部材は、一方側範囲が使用者の正面側に位置し、他方側範囲が使用者の背面側に位置するよう、使用者に担がれるものであり、
前記第一のアーム部材の一方側範囲には、第一の把手が設けられ、
前記第二のアーム部材の一方側範囲には、第二の把手が設けられ、
前記第一のアーム部材の他方側範囲には、使用者に当接することで、使用者に湿布の貼付位置を確認させる湿布貼着位置確認部と、前記湿布を仮留めする湿布仮留部とが設けられ、
前記第二のアーム部材の他方側範囲には、前記湿布仮留部に仮留めされた前記湿布を使用者に押圧して貼付けるための湿布押圧部が設けられ、
前記湿布貼着位置確認部が使用者に当接した状態で、使用者が前記第二のアーム部材を回動させて前記湿布押圧部を使用者に当接させることで、前記湿布貼着位置確認部と、前記湿布仮留部と、前記湿布押圧部とが、この順序で、前記第二のアーム部材の長さ方向に並列した状態になり、この状態で、使用者が前記第二の把手を前記第二のアーム部材の長さ方向に動かすことで、前記湿布押圧部は、前記湿布仮留部に仮留めされた前記湿布を、前記湿布貼着位置確認部が使用者に当接する位置に向けて押しやって、使用者に貼付ける湿布貼付器具。
【請求項３】
前記湿布仮留部は、水平バー又は平板であることを特徴とする請求項１又は２に記載の湿布貼付器具。
【請求項４】
前記湿布押圧部は、ローラであることを特徴とする請求項１又は２に記載の湿布貼付器具。
【請求項５】
棒体又はパイプをアーチ状に折り曲げることで形成された第一のアーム部材と、
棒体又はパイプをアーチ状に折り曲げることで形成されて、前記第一のアーム部材の側方に配置される第二のアーム部材と、
前記第一のアーム部材の中間部と前記第二のアーム部材の中間部とを回動自在に枢着する支軸部とを備え、
前記第一のアーム部材や前記第二のアーム部材は、一方側範囲が使用者の正面側に位置し、他方側範囲が使用者の背面側に位置するよう、使用者に担がれるものであり、
前記第一のアーム部材の一方側範囲には、第一の把手が設けられ、
前記第二のアーム部材の一方側範囲には、第二の把手が設けられ、
前記第一のアーム部材の他方側範囲には、使用者に湿布の貼付位置を確認させるための湿布貼着位置確認部と、前記湿布を仮留めする湿布仮留部とが設けられ、
前記第二のアーム部材の他方側範囲には、前記湿布仮留部に仮留めされた前記湿布を使用者に押圧して貼付ける湿布押圧部が設けられ、
前記湿布貼着位置確認部及び前記湿布仮留部は、前記第一のアーム部材の他方側範囲に回動自在に軸支されるコの字フレームから突出する複数の突起によって構成されるものであり、当該複数の突起が使用者に当接することで、使用者に前記湿布の貼付位置が確認され、前記複数の突起に前記湿布が張架されることで前記湿布が仮留めされ、
前記複数の突起が使用者に当接し、前記湿布が前記複数の突起に張架された状態で、使用者が前記第二のアーム部材を回動させることで、前記湿布押圧部は、前記コの字フレームの開口を通過して、前記複数の突起に張架された前記湿布を、前記複数の突起が使用者に当接する位置に向けて押しやって、使用者に貼付ける湿布貼付器具。
【請求項６】
前記湿布押圧部は、前記第二のアーム部材の回動により、前記コの字フレームの開口を通過可能な平板からなることを特徴とする請求項５に記載の湿布貼付器具。
【発明の詳細な説明】
【技術分野】
【０００１】
本発明は、膏薬や湿布薬等の貼り薬又は塗り薬を、自分の手の届かない部位に貼ったり塗ったりするための器具に関する。
【背景技術】
【０００２】
高齢者は、貼り薬を使用する機会が多いが、身体が硬く、背中に膏薬や湿布薬を貼りたくとも貼れない場合がある。このように、背中や腰など、自分の手の届かない部位に膏薬や湿布薬等の貼り薬を貼る場合や、塗り薬を塗る場合は、家族等他人の手を借りて処置することになる。しかし、一人暮らしをしている高齢者や体に不自由を抱える人は、人の手を借りることができない。
【０００３】
湿布薬貼付器具は、種々提案されており、概して平板状のもの、孫の手を応用したもの、ローラが取り付けられたものに分類される。特許文献１に係る湿布薬貼付器具は、平板状の器具であり、面ファスナーを用いて湿布を粘着固定する湿布保持板と湿布を背中に押し付け貼付するための湿布押圧板にそれぞれ１本ずつハンドルを取り付けて支転軸と捻りバネを介して連結させ、そのハンドルを操作することにより湿布保持板と湿布押圧板を開閉し、湿布の装着と貼付を行うものである。また、特許文献２に係る器具は多用途の孫の手として、孫の手の先端に回転体を設け，その回転体の周囲に各種の作用器具を取付け，目的に応じて回転体を回して作用器具の位置を合わせる事が出来るようにするとともに，背中掻きのためには，皮膚の状態に応じた形状や材料を選択可能にし，薬剤の塗布や薬剤を塗付したシ−トを張り付け可能にしている。
【０００４】
一方、特許文献３ないし６は、いずれもローラが取り付けられた機器が紹介されている。特許文献３に係る器具は、湿布を押さえローラと送りベルトの間をまたぐ方法で装着すると、押さえローラが回転するとき、湿布は押さえローラの回転とともに押さえローラの外周を沿うように降り、送りベルトとの間に自ら粘着面を出して背中に貼り付いていく。簡単な操作で、コンパクトな背中湿布薬貼付器具を提供できるとともに、柄を長くしていることで、背掻き兼湿布剥がし具、タオルクリップを取り付けることができ、多目的な背中ケアー用品として活用可能としている。特許文献４に係る器具は、把手を設けた支持フレームと、支持フレームに架設されたベルトプーリとで構成され送り出し側の先端を小径アール部としたベルト案内部材と、無端状の形態でベルト案内部材に周回自在に取り付けられ、表面が貼り薬の貼着面から容易に剥離する易剥離構造であり、且つ、駆動ローラにより周回駆動する送りベルトと、送りベルトの送り出し側に対向位置するローラ状の押さえ部材とからなる。そして、先ず送りベルトの表面に貼り薬の貼着面を当てて貼り付け、次に支持フレームを背中に当てながら移動させると送りベルトが周回し、それによって貼り薬が送り出し側に送られ、最終的に押さえ部材で背中に押し付けられるようにしている。特許文献５に係る器具は、ローラの表面に面テープと粘着テープを交互に付着させたものに、テープ剤及びシップ薬等の裏面を指圧し、シップ薬等を仮留めし、ローラの回転により手の届きにくい場所にテープ剤・シップ薬等を身体に貼り付けるようにしている。特許文献６に係る器具は、先端部がＵ字状に形成されてなるホルダの該Ｕ字状部に屈曲部を設け、該Ｕ字状部の内側にガイドローラ、前部粘着用ローラ、押圧用ローラ、湿布薬案内ローラ、後部粘着用ローラを取り付ける。さらに、ホルダに中空部を設け、この中へ、湿布薬剥し具を挿入して付属したローラ式湿布薬貼付具としている。
【０００５】
また、特許文献７ないし９は、いずれも孫の手にローラが取り付けられた機器が紹介されている。特許文献７に係る器具は、柄の先端部に保持枠を設け、その内部に回転軸を解してローラを回動自在に取り付け、前記保持枠の後壁をローラの外周接線延長上に傾斜させて形成し、その下部に支点軸を介して固定板を開閉自在に取り付けたものである。特許文献８に係る器具は、ホルダの基端側に把持部が設けられ、先端にこれと直交して２本のローラが平行に取付けられ、両ローラが近接して配置され、ローラの間に湿布薬を通して、ホルダを持って粘着面を背中に押し付けながら引き上げることによりローラが回転して、湿布薬を背中に貼ることができるようになっている。特許文献９に係る器具は、孫の手の柄の握手部分に回転自在な円筒形のローラと、そのローラを支持する外周ケースとを設け、背中に対してローラが密着するよう本体に適度な角度をつけており、保護シートを剥離した湿布薬の裏面でローラの外周に添わせ、湿布薬表面の粘着性を利用して外周ケース上下内側に当該湿布薬の両端を仮留めする。ローラを背中などの患部に当て上下に移動回転させることで、人手を借りずに容易に湿布薬を貼ることができる。また、患部を正確に特定するため、コの字状から成る突起物をローラ支持軸部両端に設けている。
【先行技術文献】
【特許文献】
【０００６】
【特許文献１】特開２００５−２０４７０５号公報
【特許文献２】特開平１０−７５９８６号公報
【特許文献３】特開２０１３−２４４１１５号公報
【特許文献４】特開平７−２９９１４７号公報
【特許文献５】特開２００６−３４６０７８号公報
【特許文献６】特開２００１−２９９９３３号公報
【特許文献７】特開２００２−３６９８４３号公報
【特許文献８】特開平１０−５７４１６号公報
【特許文献９】特開２００９−２０１９５７号公報
【発明の概要】
【発明が解決しようとする課題】
【０００７】
しかしながら、上述した平板状の器具やローラがついている器具では背中の起伏に対応することができず、湿布薬の粘着面が器具や所望しない位置に貼り付けられたり、所望する位置に貼り付けられたとしても粘着面同士がくっついたりして、実際には上手く機能していないのが現状である。
【０００８】
本発明は、上記問題に鑑みなされたもので、その目的は、背中など自分の手の届かない部位を確認した上で、所望の位置に膏薬や湿布薬などの貼り薬が容易に貼れるようにすることを課題とする。
【課題を解決するための手段】
【０００９】
本発明に係る湿布薬貼付器具は、棒体又はパイプをアーチ状に折り曲げることで形成された第一のアーム部材と、棒体又はパイプをアーチ状に折り曲げることで形成されて、第一のアーム部材の側方に配置される第二のアーム部材と、第一のアーム部材の中間部と第二のアーム部材の中間部とを回動自在に枢着する支軸部とを備え、第一のアーム部材や第二のアーム部材は、一方側範囲が使用者の正面側に位置し、他方側範囲が使用者の背面側に位置するよう、使用者に担がれるものであり、第一のアーム部材の一方側範囲には、第一の把手が設けられ、第二のアーム部材の一方側範囲には、第二の把手が設けられ、第一のアーム部材の他方側範囲には、使用者に当接することで、使用者に湿布の貼付位置を確認させる湿布貼着位置確認部が設けられ、第二のアーム部材の他方側範囲には、湿布を仮留めする湿布仮留部と、当該湿布仮留部に仮留めされた湿布を使用者に押圧して貼付けるための湿布押圧部とが設けられ、湿布貼着位置確認部が使用者に当接した状態で、使用者が第二のアーム部材を回動させて湿布押圧部を使用者に当接させることで、湿布貼着位置確認部と、湿布仮留部と、湿布押圧部とが、この順序で、第二のアーム部材の長さ方向に並列した状態になり、この状態で、使用者が第二の把手を第二のアーム部材の長さ方向に動かすことで、湿布押圧部は、湿布仮留部に仮留めされた湿布を、湿布貼着位置確認部が使用者に当接する位置に向けて押しやって、使用者に貼付けることを特徴とする。
【００１０】
本発明に係る別の形態の湿布薬貼付器具は、棒体又はパイプをアーチ状に折り曲げることで形成された第一のアーム部材と、棒体又はパイプをアーチ状に折り曲げることで形成されて、第一のアーム部材の側方に配置される第二のアーム部材と、第一のアーム部材の中間部と第二のアーム部材の中間部とを回動自在に枢着する支軸部とを備え、第一のアーム部材や第二のアーム部材は、一方側範囲が使用者の正面側に位置し、他方側範囲が使用者の背面側に位置するよう、使用者に担がれるものであり、第一のアーム部材の一方側範囲には、第一の把手が設けられ、第二のアーム部材の一方側範囲には、第二の把手が設けられ、第一のアーム部材の他方側範囲には、使用者に当接することで、使用者に湿布の貼付位置を確認させる湿布貼着位置確認部と、湿布を仮留めする湿布仮留部とが設けられ、第二のアーム部材の他方側範囲には、湿布仮留部に仮留めされた湿布を使用者に押圧して貼付けるための湿布押圧部が設けられ、湿布貼着位置確認部が使用者に当接した状態で、使用者が第二のアーム部材を回動させて湿布押圧部を使用者に当接させることで、湿布貼着位置確認部と、湿布仮留部と、湿布押圧部とが、この順序で、第二のアーム部材の長さ方向に並列した状態になり、この状態で、使用者が第二の把手を第二のアーム部材の長さ方向に動かすことで、湿布押圧部は、湿布仮留部に仮留めされた湿布を、湿布貼着位置確認部が使用者に当接する位置に向けて押しやって、使用者に貼付けることを特徴とする。
【００１１】
なお、請求項１及び２に係る発明においては、第一又は第二のアーム部材が、他端に湿布仮留部を備え、該湿布仮留部が水平バーのみであるように構成してもよい。一方、湿布押圧部は、ローラを使用すると好適である。また、第二のアーム部材が、他端に湿布仮留部を備え、水平バーと平板の両方を備えるようにすると、小さなサイズの湿布薬のみならず、大きなサイズの湿布薬を貼り付けることが可能になる。
【００１２】
本発明に係るさらに別の形態の湿布薬貼付器具は、棒体又はパイプをアーチ状に折り曲げることで形成された第一のアーム部材と、棒体又はパイプをアーチ状に折り曲げることで形成されて、第一のアーム部材の側方に配置される第二のアーム部材と、第一のアーム部材の中間部と第二のアーム部材の中間部とを回動自在に枢着する支軸部とを備え、第一のアーム部材や第二のアーム部材は、一方側範囲が使用者の正面側に位置し、他方側範囲が使用者の背面側に位置するよう、使用者に担がれるものであり、第一のアーム部材の一方側範囲には、第一の把手が設けられ、第二のアーム部材の一方側範囲には、第二の把手が設けられ、第一のアーム部材の他方側範囲には、使用者に湿布の貼付位置を確認させるための湿布貼着位置確認部と、湿布を仮留めする湿布仮留部とが設けられ、第二のアーム部材の他方側範囲には、湿布仮留部に仮留めされた湿布を使用者に押圧して貼付ける湿布押圧部が設けられ、湿布貼着位置確認部及び湿布仮留部は、第一のアーム部材の他方側範囲に回動自在に軸支されるコの字フレームから突出する複数の突起によって構成されるものであり、当該複数の突起が使用者に当接することで、使用者に湿布の貼付位置が確認され、複数の突起に湿布が張架されることで湿布が仮留めされ、複数の突起が使用者に当接し、湿布が複数の突起に張架された状態で、使用者が第二のアーム部材を回動させることで、湿布押圧部は、コの字フレームの開口を通過して、複数の突起に張架された湿布を、複数の突起が使用者に当接する位置に向けて押しやって、使用者に貼付けることを特徴とする。
【００１３】
上記請求項５に係る発明においては、第一のアーム部材が、他端に湿布貼着位置確認部を備え、該湿布貼着位置確認部は、第一のアーム部材の他端にコの字フレームを軸支して回動自在に枢着しかつ該コの字部材の所定の位置に複数の突起を第一の把手に対向するように設け、湿布仮留部を兼ねるように構成されていることを特徴とする。なお、この場合、湿布押圧部は、第二のアーム部材の回動により、コの字フレームの開口を通過可能な平板からなり、湿布貼着位置確認部の背面に配置されるようにするとよい。
【発明の効果】
【００１４】
本発明の湿布薬貼付器具は、背中など自分の手の届かない部位で所望の位置に自由に貼り薬やカイロを貼り付けることができる。これにより、単身赴任などでの一人暮らしや、独居高齢者の生活をより快適にすることができる。また、本発明の湿布薬貼付器具は、湿布貼着位置確認部の突起を有しているので、孫の手としての使用もできる。さらに、湿布押圧部をローラとした場合、ローラの外周に塗り薬を塗ることにより、利用者自身の手の届かない所望の場所に使用者自身で膏薬のみならず塗り薬を刷り込むことができる。
【図面の簡単な説明】
【００１５】
【図１】本発明の実施例１に係る湿布薬貼付器具１００の全体構成を示す斜視図である。
【図２】実施例１に係る第一のアーム部材を示す側面図（ａ）、第一の把手を示す正面図（ｂ）、湿布貼着位置確認部を示す正面図（ｃ）である。
【図３】実施例１に係る第二のアーム部材を示す側面図（ａ）、第二の把手を示す正面図（ｂ）、湿布押圧部及び湿布仮留部を示す正面図（ｃ）である。
【図４】実施例１に係る湿布薬貼付器具１００の一端を示す正面図（ａ）、他端を示す正面図（ｂ）である。
【図５】実施例１に係る湿布薬貼付器具１００を示す側面図である。
【図６】本発明の実施例１に係る湿布薬貼付器具１００の使用方法を示す図である。
【図７】本発明の実施例１に係る湿布薬貼付器具１００により湿布薬が貼付けられた状態を示す図である。
【図８】本発明の実施例２に係る湿布薬貼付器具２００の全体構成を示す斜視図である。
【図９】実施例２に係る第一のアーム部材を示す側面図（ａ）、第一の把手を示す正面図（ｂ）、湿布貼着位置確認部を示す正面図（ｃ）である。
【図１０】実施例２に係る第二のアーム部材を示す側面図（ａ）、第二の把手を示す正面図（ｂ）、湿布押圧部及び湿布仮留部を示す正面図（ｃ）である。
【図１１】実施例２に係る湿布薬貼付器具２００を示す側面図である。
【図１２】実施例２に係る第二のアーム部材の湿布押圧部及び湿布仮留部を示す斜視図である。
【図１３】本発明の実施例２に係る湿布薬貼付器具２００において、湿布薬Ｓを湿布仮留部に載せた状態を示す図である。
【図１４】本発明の実施例２に係る湿布薬貼付器具２００により湿布薬が貼付けられた状態を示す図である。
【図１５】実施例３に係る湿布薬貼付器具３００を示す側面図である。
【図１６】実施例３に係る第一のアーム部材を示す側面図（ａ）、第一の把手を示す正面図（ｂ）、湿布貼着位置確認部を示す正面図（ｃ）である。
【図１７】実施例３に係る第二のアーム部材を示す側面図（ａ）、第二の把手を示す正面図（ｂ）、湿布押圧部を示す正面図（ｃ）である。
【図１８】実施例３に係る第一のアーム部材の湿布貼着位置確認部を示す斜視図である。
【図１９】本発明の実施例３に係る湿布薬貼付器具３００において、湿布薬Ｓを湿布貼着位置確認部の一部に仮留めした状態を示す図である。
【発明を実施するための形態】
【００１６】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１７】
実施例１を図面を参照して詳細に説明する。
【００１８】
図１は、本発明の実施例１に係る湿布薬貼付器具１００の全体構成を示す斜視図である。図１に示すとおり、本発明の湿布薬貼付器具１００は、大別すると、棒体又はパイプをアーチ状に折り曲げた第一のアーム部材１１０と、同じく棒体又はパイプをアーチ状に折り曲げた第二のアーム部材１２０と、第一のアーム部材１１０と第二のアーム部材１２０とを回動自在に枢着する支軸部１３０とから構成される。第一のアーム部材１１０は、一端に第一の把手１１１、他端には、湿布Ｓを貼着する位置を確認する湿布貼着位置確認部１１２を備える。一方、第二のアーム部材１２０は、一端に第二の把手１２１、他端には、湿布Ｓを仮留めする湿布仮留部１２３と該仮留めした湿布Ｓを所望の位置に押圧する湿布押圧部１２２とを備える。後述するとおり、第一のアーム部材１１０と第二のアーム部材１２０とが支軸部１３０で回動自在に枢着しているので、第一の把手１１１又は第二の把手１２１を長さ方向に操作することにより、湿布Ｓを所望の位置に貼着することができる。
【００１９】
図２を参照する。図２は、実施例１に係る第一のアーム部材１１０を示す側面図（ａ）、第一の把手１１１を示す正面図（ｂ）、湿布貼着位置確認部１１２を示す正面図（ｃ）である。図２（ａ）に示すとおり、第一のアーム部材１１０は、棒体又はパイプをアーチ状に折り曲げた形状をしており、一端に第一の把手１１１を備え、他端には、湿布Ｓを貼着する位置を確認する湿布貼着位置確認部１１２を備える。第一のアーム部材１１０の材料となる棒体又はパイプは鉄やステンレスを使用するとよい。第一のアーム部材１１０の一端に備える把手１１１は木や樹脂等を使用することができるし、棒体又はパイプの一端を折り曲げて形成してもよい。湿布貼着位置確認部１１２は、第一のアーム部材１１０の他端を鉤状に折り曲げて形成し該折り曲げた位置に複数の突起１１４ａ、１１４ｂ、１１４ｃ、１１４ｄ、１１４ｅを第一の把手１１１に対向するように設けている。なお、実施例１においては、突起を五つ設けているが、限定されない。
【００２０】
図３を参照する。図３は、実施例１に係る第二のアーム部材１２０を示す側面図（ａ）、第二の把手１２１を示す正面図（ｂ）、湿布押圧部１２２及び湿布仮留部１２３を示す正面図（ｃ）である。図３（ａ）に示すとおり、第二のアーム部材１２０は、棒体又はパイプをアーチ状に折り曲げた形状をしており、一端に第二の把手１２１を備え、他端には、湿布押圧部１２２と湿布仮留部１２３とを備える。第二のアーム部材１２０の材料となる棒体又はパイプは鉄やステンレスを使用するとよい。第二のアーム部材１２０の一端に備える把手１２１は木や樹脂等を使用することができるし、棒体又はパイプの一端を折り曲げて形成してもよい。湿布仮留部１２３は、一又は二の水平バーを設けて、該水平バーに湿布薬Ｓの端部を仮留めしておくことができるようにする。なお、該水平バーに樹脂製のチューブを被覆して使用してもよい。湿布押圧部１２２は、第二のアーム部材１２０の他端を鉤状に折り曲げて形成し該折り曲げた所定の位置であって、湿布仮留部１２３の背面に配置されるようにし、ローラを用いると好適であるが、平板であってもよい。
【００２１】
図４を参照する。図４は、実施例１に係る湿布薬貼付器具１００の一端を示す正面図（ａ）、他端を示す正面図（ｂ）である。図４は、図２で示した第一のアーム部材１１０と、図３で示した第二のアーム部材１２０とを、それらのアーチ上端で支軸部１３０に枢支し、長さ方向に並列していることを示す図である。図４（ｂ）に示すとおり、湿布貼着位置確認部１１２と、湿布仮留部１２３及び湿布押圧部１２２は、第一のアーム部材１１０と第二のアーム部材１２０とが反対方向に回動した際、交差して交わらないように、各アーム部材１１０、１２０の他端を鉤状に曲げて形成する。一方、支軸部１３０は、図４（ａ）に示すとおり、第一のアーム部材１１０から突出する第一突出片１１６と、第二のアーム部材１２０から突出する第二突出片１２６と、第一突出片１１６の貫通孔や第二突出片１２６の貫通孔に挿通される軸部材１３３（図示していない）と、軸部材１３３の両端に設けられて、第一突出片１１６及び第二突出片１２６を挟持するナット１３１、１３２を備えるようにするとよい。
【００２２】
図５を参照する。図５は、実施例１に係る湿布薬貼付器具１００を示す側面図である。図５に示すとおり、第一の把手１１１と第二の把手１２１が横並びに配置され床面に置かれたとき、湿布押圧部１２２であるローラが床面に対する当接部分により、湿布薬貼付器具１００を縦置きして支持することができる。また、支軸部１３０から他端までの長さを、第一のアーム部材１１０が第二のアーム部材１２０よりも少し短くしており、湿布貼着位置確認部１１２は湿布仮留部１２３及び湿布押圧部１２２よりも把手側に近い位置に設けられている。したがって、第一の把手１１１と第二の把手１２１が横並びに配置された状態において、湿布貼着位置確認部１１２は、浮いた状態となっており、上述したとおり、湿布貼着位置確認部１１２と、湿布仮留部１２３及び湿布押圧部１２２は、第一のアーム部材１１０と第二のアーム部材１２０とが反対方向に回動した際、交差しても交わらないことが理解できるであろう。
【００２３】
次に、実施例１に係る湿布薬貼付器具１００の使用例を示す。図６は、本発明の実施例１に係る湿布薬貼付器具１００の使用方法を示す図である。図７は、本発明の実施例１に係る湿布薬貼付器具１００により湿布薬が貼付けられた状態を示す図である。まず、使用者は、所望の湿布薬Ｓの粘着面の上端を湿布仮留部１２３の水平バーに仮留めする。そして、右手で第一の把手１２１、左手で第二の把手１１１を握り、第一のアーム部材１１０と第二のアーム部材１２０とを肩ごしに担ぐ。次に、図６（ａ）に示すとおり、湿布貼着位置確認部１１２の突起１１４ａ、１１４ｂ、１１４ｃ、１１４ｄ、１１４ｅを背中に当てながら、湿布を貼付けたい所望の場所を探る。所望の場所が見つかったならば、図６（ｂ）に示すとおり、所望の場所において湿布Ｓが貼り付けられるべき上端の位置に湿布貼着位置確認部１１２を保持したまま、第二の把手１１２を前に押し出す。そうすると、湿布押圧部１２２であるローラが使用者の背中Ｂに向かって押し出され、湿布薬Ｓの下端を背中に押しやり、湿布押圧部１２２であるローラをゆっくり背中の上側に転がす。そうすると、図７に示すとおり、湿布薬Ｓが背中に貼付けられる。
【実施例２】
【００２４】
実施例２を図面を参照して詳細に説明する。なお、実施例２は、実施例１の変形形態であって、複数の湿布仮留部２２３、２２４を備えている。なお、支軸部２３０の構成については、実施例１と同様であるので、説明は省略する。
【００２５】
図８は、本発明の実施例２に係る湿布薬貼付器具２００の全体構成を示す斜視図である。図８に示すとおり、本発明の湿布薬貼付器具２００は、大別すると、棒体又はパイプをアーチ状に折り曲げた第一のアーム部材２１０と、同じく棒体又はパイプをアーチ状に折り曲げた第二のアーム部材２２０と、第一のアーム部材２１０と第二のアーム部材２２０とを回動自在に枢着する支軸部２３０とから構成される。第一のアーム部材２１０は、一端に第一の把手２１１、他端には、湿布Ｓを貼着する位置を確認する湿布貼着位置確認部２１２を備える。一方、第二のアーム部材２２０は、一端に第二の把手２２１、他端には、湿布Ｓを仮留めする二つの湿布仮留部２２３、２２４と該仮留めした湿布Ｓを所望の位置に押圧する湿布押圧部２２２とを備える。第一のアーム部材２１０と第二のアーム部材２２０とが支軸部２３０で回動自在に枢着しているので、第一の把手２１１又は第二の把手２２１を長さ方向に操作することにより、湿布Ｓを所望の位置に貼着することができる。
【００２６】
図９を参照する。図９は、実施例２に係る第一のアーム部材２１０を示す側面図（ａ）、第一の把手２１１を示す正面図（ｂ）、湿布貼着位置確認部２１２を示す正面図（ｃ）である。実施例２に係る第一のアーム部材２１０の構成については、実施例１と同じであるので、詳細は省略する。
【００２７】
図１０を参照する。図１０は、実施例２に係る第二のアーム部材２２０を示す側面図（ａ）、第二の把手２２１を示す正面図（ｂ）、湿布押圧部２２２及び湿布仮留部２２３、２２４を示す正面図（ｃ）である。図１０（ａ）に示すとおり、第二のアーム部材２２０は、棒体又はパイプをアーチ状に折り曲げた形状をしており、一端に第二の把手２２１を備え、他端には、湿布押圧部２２２と二つの湿布仮留部２２３、２２４とを備える。第二のアーム部材２２０の材料となる棒体又はパイプは鉄やステンレスを使用するとよい。第二のアーム部材２２０の一端に備える把手２２１は木や樹脂等を使用することができるし、棒体又はパイプの一端を折り曲げて形成してもよい。実施例１の場合と同様に、一方の湿布仮留部２２３は、一又は二の水平バーを設けて、該水平バーに湿布薬Ｓの端部を仮留めしておくことができ、標準サイズの湿布薬やカイロを貼る場合に使用するとよい。また、該水平バーに樹脂製のチューブを被覆して使用してもよい。他方の湿布仮留部２２４は、第二のアーム上部材２２０の他端の湿布押圧部２２２に近い位置に取り付けられた平板である。図１２で示すとおり、湿布仮留部２２４は上面に両面テープを貼付けた仮留め箇所２２４０、２２４１を備えている。仮留め箇所は所望の位置に所望の数を備えることができる。この湿布仮留部２２４は、大きなサイズの湿布薬を貼る場合に使用すると好適である。また、湿布押圧部２２２は、第二のアーム部材２２０の他端を鉤状に折り曲げて形成し該折り曲げた所定の位置であって、湿布仮留部２２３の背面に配置されるようにし、ローラを用いると好適であるが、平板であってもよい。さらに、湿布仮留部２２４の下方に支持部２２５を設け、湿布薬貼付器具２００を縦置きして支持することができる。
【００２８】
図１１を参照する。図１１は、実施例２に係る湿布薬貼付器具２００を示す側面図である。前述したとおり、第一の把手２１１と第二の把手２２１が横並びに配置され床面に置かれたとき、湿布仮留部２２４の下方に支持部２２５を設けているので、湿布薬貼付器具２００を縦置きして支持することができることが理解できるであろう。また、支軸部２３０から他端までの長さを、第一のアーム部材２１０が第二のアーム部材２２０よりも少し短くしており、湿布貼着位置確認部２１２は湿布仮留部２２３、２２４及び湿布押圧部２２２よりも把手側に近い位置に設けられている。したがって、第一の把手２１１と第二の把手２２１が横並びに配置された状態において、湿布貼着位置確認部２１２は、浮いた状態となっており、上述したとおり、湿布貼着位置確認部２１２と、湿布仮留部２２３、２２４及び湿布押圧部２２２は、第一のアーム部材２１０と第二のアーム部材２２０とが反対方向に回動した際、交差しても交わらないことが理解できるであろう。
【００２９】
図１２を参照する。図１２は、実施例２に係る第二のアーム部材２１０の湿布押圧部２２２及び湿布仮留部２２３、２２４を詳細に示す斜視図である。前述したとおり、湿布仮留部２２４は上面に両面テープを貼付けた仮留め箇所２２４０、２２４１を備えている。仮留め箇所は所望の位置に所望の数を備えることができる。大きなサイズの湿布薬を粘着面を上にして、湿布仮留部２２４に載せ、湿布押圧部２２２のローラの外周に垂らすように沿わせる。そうすると、湿布仮留部２２４の仮留め箇所２２４０、２２４１が湿布薬Ｓの表側を仮留めする。
【００３０】
次に、実施例２に係る湿布薬貼付器具２００の使用例を示す。図１３は、本発明の実施例２に係る湿布薬貼付器具２００において、湿布薬Ｓを湿布仮留部２２４に載せた状態を示す図である。図１４は、本発明の実施例２に係る湿布薬貼付器具２００により湿布薬が貼付けられた状態を示す図である。まず、使用者は、大きなサイズの湿布薬Ｓを粘着面を上にして、湿布仮留部２２４に載せ、湿布押圧部２２２のローラの外周に垂らすように沿わせる。そうすると、湿布仮留部２２４の仮留め箇所２２４０、２２４１が湿布薬Ｓの表側を仮留めする。そして、右手で第一の把手２１１、左手で第二の把手２２１を握り、第一のアーム部材２１０と第二のアーム部材２２０とを肩ごしに担ぐ。次に、湿布貼着位置確認部２１２の突起２１４ａ、２１４ｂ、２１４ｃ、２１４ｄ、２１４ｅを背中に当てながら、湿布を貼付けたい所望の場所を探る。所望の場所が見つかったならば、所望の場所において湿布Ｓが貼り付けられるべき上端の位置に湿布貼着位置確認部２１２を保持したまま、第二の把手２１２を前に押し出す。そうすると、湿布押圧部２２２であるローラが使用者の背中Ｂに向かって押し出され、湿布薬Ｓの下端を背中に押しやり、湿布押圧部２２２であるローラをゆっくり背中の上側に転がす。そうすると、図１４に示すとおり、湿布薬Ｓが背中に貼付けられる。
【実施例３】
【００３１】
実施例３を図面を参照して詳細に説明する。なお、実施例３は、実施例１、２の変形形態であって、湿布貼着位置確認部３１２が湿布仮留部を兼ねているところに特徴がある。なお、支軸部３３０の構成については、実施例１と同様であるので、説明は省略する。
【００３２】
実施例３を図面を参照して詳細に説明する。
【００３３】
図１５は、本発明の実施例３に係る湿布薬貼付器具３００の側面図である。図１５に示すとおり、本発明の湿布薬貼付器具３００は、大別すると、棒体又はパイプをアーチ状に折り曲げた第一のアーム部材３１０と、同じく棒体又はパイプをアーチ状に折り曲げた第二のアーム部材３２０と、第一のアーム部材３１０と第二のアーム部材３２０とを回動自在に枢着する支軸部３３０とから構成される。第一のアーム部材３１０は、一端に第一の把手３１１、他端には、湿布Ｓを貼着する位置を確認する湿布貼着位置確認部３１２を備える。なお、後述するとおり、湿布貼着位置確認部３１２は湿布Ｓを仮留めする湿布仮留部を兼ねる。一方、第二のアーム部材３２０は、一端に第二の把手３２１（図示していない）、他端には、仮留めした湿布Ｓを所望の位置に押圧する湿布押圧部３２２を備える。第一のアーム部材３１０と第二のアーム部材３２０とが支軸部３３０で回動自在に枢着しているので、第一の把手３１１又は第二の把手３２１を長さ方向に操作することにより、湿布Ｓを所望の位置に貼着することができる。第一の把手３１１と第二の把手３２１が横並びに配置され床面に置かれたとき、湿布貼着位置確認部３１２の底部で湿布薬貼付器具３００を縦置きして支持することができることが理解できるであろう。また、支軸部３３０から他端までの長さを、第二のアーム部材３２０が第一のアーム部材３１０よりも少し短くしており、湿布貼着位置確認部３１２は湿布押圧部３２２よりも把手側に近い位置に設けられている。湿布貼着位置確認部３１２と、湿布押圧部３２２は、第一のアーム部材３１０と第二のアーム部材３２０とが反対方向に回動した際、交差しても交わらない。
【００３４】
図１６を参照する。図１６は、実施例３に係る第一のアーム部材３１０を示す側面図（ａ）、第一の把手３１１を示す正面図（ｂ）、湿布貼着位置確認部３１２を示す正面図（ｃ）である。図３（ａ）に示すとおり、第一のアーム部材３１０は、棒体又はパイプをアーチ状に折り曲げた形状をしており、一端に第一の把手３１１を備え、他端には、湿布Ｓを貼着する位置を確認する湿布貼着位置確認部３１２を備える。第一のアーム部材３１０の材料となる棒体又はパイプは鉄やステンレスを使用するとよい。第一のアーム部材３１０の一端に備える把手３１１は木や樹脂等を使用することができるし、棒体又はパイプの一端を折り曲げて形成してもよい。図３（ｃ）に示すとおり、湿布貼着位置確認部３１２は、第一のアーム部材３１０の他端を少し曲げて形成しその端部にコの字形状のフレームを回動自在に設け、該フレームの四隅に突起３１４ａ、３１４ｂ、３１４ｃ、３１４ｄを第一の把手３１１に対向するように設けている。
【００３５】
図１７を参照する。図１７は、実施例３に係る第二のアーム部材３２０を示す側面図（ａ）、第二の把手３２１を示す正面図（ｂ）、湿布押圧部３２２を示す正面図（ｃ）である。図１７（ａ）に示すとおり、第二のアーム部材３２０は、棒体又はパイプをアーチ状に折り曲げた形状をしており、一端に第二の把手３２１を備え、他端には、湿布押圧部３２２を備える。第二のアーム部材３２０の材料となる棒体又はパイプは鉄やステンレスを使用するとよい。第二のアーム部材３２０の一端に備える把手３２１は木や樹脂等を使用することができるし、棒体又はパイプの一端を折り曲げて形成してもよい。湿布押圧部３２２は、第二のアーム部材３２０の他端に平板を固定したものであるが、ローラを使用してもよい。
【００３６】
図１８を参照する。図１８は、実施例３に係る第一のアーム部材３１０の湿布貼着位置確認部３１２を詳細に示す斜視図である。湿布貼着位置確認部３１２は、第一のアーム部材３１０の他端を少し曲げて形成しその端部にコの字形状のフレームを回動自在に設け、該フレームの四隅に突起３１４ａ、３１４ｂ、３１４ｃ、３１４ｄを第一の把手３１１に対向するように設けている。前述したとおり、湿布貼着位置確認部３１２は湿布Ｓを仮留めする湿布仮留部を兼ねる。仮留め箇所は突起３１４ａ、３１４ｃが対向する部分及び突起３１４ｂ、３１４ｄが対向する部分とすることができる。そうすると、図１９に示すとおり、当該部分が湿布薬Ｓの粘着面の一部を仮留めすることになる。
【００３７】
図１９を参照する。図１９は、本発明の実施例３に係る湿布薬貼付器具３００において、湿布薬Ｓを湿布貼着位置確認部３１２の一部に仮留めした状態を示す図である。まず、使用者は、湿布薬Ｓの粘着面の四隅を、突起３１４ａ、３１４ｃが対向する部分及び突起３１４ｂ、３１４ｄが対向する部分に仮留めする。そして、右手で第一の把手３１１、左手で第二の把手３２１を握り、第一のアーム部材３１０と第二のアーム部材３２０とを肩ごしに担ぐ。次に、湿布貼着位置確認部３１２の突起３１４ａ、３１４ｂ、３１４ｃ、３１４ｄを背中に当てながら、湿布を貼付けたい所望の場所を探る。所望の場所が見つかったならば、所望の場所において湿布Ｓが貼り付けられるべき位置に湿布貼着位置確認部３１２を保持したまま、第二の把手３２１を前に押し出す。そうすると、湿布押圧部３２２である平板が使用者の背中Ｂに向かって押し出され、湿布薬Ｓの中央を背中に押しやり、湿布押圧部３２２である平板をゆっくり背中の上下に撫でる。そうすると、湿布薬Ｓが背中に貼付けられる。
【００３８】
以上、本発明に係る湿布薬貼付器具における好ましい実施形態を図示して説明してきたが、本発明の技術的範囲を逸脱することなく種々の変更が可能であることは理解されるであろう。
【産業上の利用可能性】
【００３９】
本発明に係る湿布薬貼付器具は、構造が簡易であり軽量であるので、家庭用として広く利用することができる。
【符号の説明】
【００４０】
１００  ２００  ３００  湿布薬貼付器具
１１０  ２１０  ３１０  第一のアーム部材
１１１  ２１１  ３１１  第一の把手
１１２  ２１２  ３１２  湿布貼着位置確認部
１１４  ２１４  ３１４  突起
１２０  ２２０  ３２０  第二のアーム部材
１２１  ２２１  ３２１  第二の把手
１２２  ２２２  ３２２  湿布押圧部
１２３  ２２３  湿布仮留部
２２４  湿布仮留部
２２４０  ２２４１  仮留め箇所
２２５  脚部
１３０  ２３０  ３３０  支軸部
１３１  １３２  ナット
１３３  軸部材
【図１】
2016209219.tif 000003
【図２】
2016209219.tif 000004
【図３】
2016209219.tif 000005
【図４】
2016209219.tif 000006
【図５】
2016209219.tif 000007
【図６】
2016209219.tif 000008
【図７】
2016209219.tif 000009
【図８】
2016209219.tif 000010
【図９】
2016209219.tif 000011
【図１０】
2016209219.tif 000012
【図１１】
2016209219.tif 000013
【図１２】
2016209219.tif 000014
【図１３】
2016209219.tif 000015
【図１４】
2016209219.tif 000016
【図１５】
2016209219.tif 000017
【図１６】
2016209219.tif 000018
【図１７】
2016209219.tif 000019
【図１８】
2016209219.tif 000020
【図１９】
2016209219.tif 000021